【事件の表示】
　特願２０１５−１２９２７６号「バックライトユニット、液晶表示装置、波長変換部材、および光硬化性組成物」拒絶査定不服審判事件〔平成２８年８月１２日出願公開、特開２０１６−１４６３１０号、請求項の数（１１）〕について、次のとおり審決する。
【結　論】
　原査定を取り消す。
　本願の発明は、特許すべきものとする。
【理　由】
第１　手続の経緯
　本願は、平成２７年６月２６日（優先権主張　平成２６年９月３０日（ＪＰ）日本国　平成２７年２月２日（ＪＰ）日本国）の出願であって、平成２９年７月２１日付けで拒絶理由通知がされ、同年１１月１４日に意見書及び手続補正書が提出され、平成３０年４月２３日付けで拒絶査定（以下「原査定」という。）がされ、これに対し、同年７月２３日に拒絶査定不服審判の請求がされると同時に手続補正書が提出されたものである。
第２　原査定の概要
　原査定の概要は次のとおりである。
　本願の請求項１、６及び９に係る発明は、以下の引用文献１及び２に基いて、請求項２〜５、７及び１０に係る発明は、引用文献１〜３に基いて、請求項８及び１１〜１３に係る発明は、引用文献１〜４に基いて、その発明の属する技術の分野における通常の知識を有する者（以下「当業者」という。）が容易に発明できたものであるから、特許法第２９条第２項の規定により特許を受けることができない。
　引用文献等一覧
１．特表２０１３−５４４０１８号公報
２．特開２００３−２７７４７３号公報
３．特開２０１４−１３７４７７号公報
４．国際公開第２０１４／１０９２１２号
第３　審判請求時の補正について
　審判請求時の補正（平成３０年７月２３日付けの手続補正）は、特許法第１７条の２第３項から第６項までの要件に違反しているものとはいえない。
　審判請求時の補正によって請求項１、６及び８に「前記重合性化合物は、（メタ）アクリレート化合物を更に含み、」という事項を追加する補正は、特許請求の範囲の減縮を目的とするものであり、当該事項は、願書に最初に添付した明細書（段落【００６７】等）に記載された事項であり、新規事項を追加するものではない。
　そして、以下の「第４　本願発明」から「第６　対比・判断」までに示すように、補正後の請求項１〜１１に係る発明は、独立特許要件を満たすものである。
第４　本願発明
　本願請求項１〜１１に係る発明（以下それぞれ「本願発明１」〜「本願発明１１」という。）は、平成３０年７月２３日付けの手続補正により補正された特許請求の範囲の請求項１〜１１に記載された事項により特定される発明であり、以下のとおりの発明である。
「　【請求項１】
光源と、該光源から出射される光の光路上に位置する波長変換部材と、を含むバックライトユニットであって、
前記波長変換部材は、励起光により励起され蛍光を発光する量子ドットをマトリックス中に含む波長変換層を有し、
前記波長変換層は、光硬化性組成物を光照射により硬化させてなる光硬化層であり、
前記光硬化性組成物は、前記量子ドット、脂環式エポキシ化合物を少なくとも含む重合性化合物、および光重合開始剤を含み、
前記光重合開始剤は、ヨードニウム塩化合物であり、
前記重合性化合物は、（メタ）アクリレート化合物を更に含み、
前記波長変換層のマトリックスにおける前記光源から出射される光の損失率は、厚み６０μｍ換算で３％以下であるバックライトユニット。
　　【請求項２】
前記ヨードニウム塩化合物は、アニオン部として、気相酸性度が２４０〜２９０ｋｃａｌ／ｍｏｌの範囲であるアニオン部を含む請求項１に記載のバックライトユニット。
　　【請求項３】
前記波長変換層は、光散乱粒子を０．２０体積％以上含む請求項１または２に記載のバックライトユニット。
　　【請求項４】
前記光源は、青色光源である請求項１〜３のいずれか１項に記載のバックライトユニット。
　　【請求項５】
請求項１〜４のいずれか１項に記載のバックライトユニットと、液晶セルと、を含む液晶表示装置。
　　【請求項６】
励起光により励起され蛍光を発光する量子ドットをマトリックス中に含む波長変換層を有し、
前記波長変換層は、光硬化性組成物を光照射により硬化させてなる光硬化層であり、
前記光硬化性組成物は、前記量子ドット、脂環式エポキシ化合物を少なくとも含む重合性化合物、および光重合開始剤を含み、
前記光重合開始剤は、ヨードニウム塩化合物であり、
前記重合性化合物は、（メタ）アクリレート化合物を更に含み、
前記波長変換層のマトリックスにおける青色光損失率は、厚み６０μｍ換算で３％以下である波長変換部材。
　　【請求項７】
前記ヨードニウム塩化合物は、アニオン部として、気相酸性度が２４０〜２９０ｋｃａｌ／ｍｏｌの範囲であるアニオン部を含む請求項６に記載の波長変換部材。
　　【請求項８】
励起光により励起され蛍光を発光する量子ドットを含む光硬化性組成物であって、
前記量子ドット、脂環式エポキシ化合物を少なくとも含む重合性化合物、および光重合開始剤を含み、
前記光重合開始剤は、ヨードニウム塩化合物であり、
前記重合性化合物は、（メタ）アクリレート化合物を更に含み、
前記光硬化性組成物を光照射により硬化させて得られる光硬化体の量子ドットを除く部分の青色光損失率が、厚み６０μｍ換算で３％以下である、光硬化性組成物。
　　【請求項９】
前記ヨードニウム塩化合物は、アニオン部として、気相酸性度が２４０〜２９０ｋｃａｌ／ｍｏｌの範囲であるアニオン部を含む請求項８に記載の光硬化性組成物。
　　【請求項１０】
前記（メタ）アクリレート化合物は、単官能（メタ）アクリレートを含む請求項８または９に記載の光硬化性組成物。
　　【請求項１１】
光散乱粒子を固形分全量に対して体積基準で０．２０体積％以上含む請求項８〜１０のいずれか１項に記載の光硬化性組成物。」
第５　引用文献、引用発明等
１　引用文献１について
（１）引用文献１に記載された事項
　原査定の拒絶の理由に引用された引用文献１には、図面とともに次の事項が記載されている（下線は、当審が付した。以下同様である。）。
（１ａ）
「【０００３】
　従来の照明装置は、制限された光色特性および不十分な照明効率を有する。高色純度、高効率、および改善された光色特性を示す、費用効率のよい照明方法および装置に対する必要性が存在する。」
（１ｂ）
「【０００７】
　一実施形態において、
本発明は、量子ドット（ＱＤ）フィルムバックライトユニット（ＢＬＵ）を提供する。
ＱＤフィルムは、
ＱＤ蛍光体材料の
層を含む
（１ｃ）
「【００１９】
　ある特定の実施形態において、本発明は、ディスプレイ用途のための
バックライトユニット（ＢＬＵ）
量子ドット（ＱＤ）
（１ｄ）
「【００３１】
　本発明の１つの例示的な実施形態によると、図６Ａおよび６Ｂに示されるように、
照明装置６００
例えば、ディスプレイＢＬＵ
ＱＤフィルムリモート蛍光体パッケージ６０２を備える
導光パネル（ＬＧＰ）
一次光源６１０が、ＬＧＰに隣接し
一次光６１４が、一次光源によって放出される
一次光は、ＬＧＰを通じて
リモート蛍光体パッケージのＱＤ蛍光体材料を通じて進み、ＱＤ蛍光体材料内のＱＤを励起し、
二次光の放出をもたらすように配置され
【００３２】
　図６Ａ〜６Ｃの例示の実施形態に示されるように、本発明の照明方法および装置は、量子ドットの下方変換層を、より好ましい位置に、好ましくは、ＬＣＤ  ＢＬＵの反射フィルム６０８とＢＥＦ６０１との間、例えば、ＬＣＤ  ＢＬＵの反射フィルム６０８とＬＧＰ６０６の間、またはＬＧＰ６０６とＢＥＦ６０１の間に配置される、
ＱＤ蛍光体層６０４を含むＱＤフィルム層６０２
ＱＤフィルム６０２は、
ＱＤ蛍光体材料６０４を収容し、
（１ｅ）
「【００８９】
　一般的に、ポリマーリガンドは、ナノ構造体の表面に結合する。しかしながら、組成物中の全てのリガンド材料が、ナノ構造体に結合する必要はない。ポリマーリガンドは、いくつかのリガンド分子がナノ構造体の表面に結合し、他のリガンド分子はナノ構造体の表面に結合しないように、過剰に提供されてもよい。過剰なリガンドは、任意で、ナノ構造体が中に埋め込まれる、マトリックス内に重合されてもよい。
組成物は、
ラジカルまたはカチオン性開始剤
を含
【００９０】
　本発明の
蛍光体材料は、ＱＤが中に埋め込まれる
マトリックス材料をさらに含む
【００９１】
　好ましいマトリックス材料は、低い酸素および湿気の透過性を有し、高い光および化学安定性を示し、好ましい屈折率を示し、ＱＤ蛍光体材料に隣接するバリアまたは他の層に接着し、それによって、ＱＤを保護するための気密シールを提供するであろう。
好ましいマトリックス材料は、
紫外線
で硬化可能である
【００９２】
　本発明の
ＱＤ蛍光体材料における使用に好適なマトリックス材料
好適なマトリックス材料に
、エポキシ、アクリレート
を含
【００９３】
　本発明に使用されるＱＤは、任意の好適な方法、例えば、ナノ結晶をポリマーに混合すること、フィルム成形すること、ナノ結晶をモノマーと混合し、それらを一緒に重合すること、ナノ結晶をゾルゲルに混合して酸化物を形成すること、あるいは、当業者に既知の任意の他の方法を使用して、ポリマーマトリックス（または他のマトリックス材料）に埋め込むことができる。本明細書に使用される際、「埋め込む」という用語は、発光性ナノ結晶を、マトリックスの大部分を占めるポリマー内に入れ込むか、または包み込むことを示して使用される。発光性ナノ結晶は、好適には、マトリックス全体にわたって均一に分布するが、さらなる実施形態においては、それらは、用途に特有の均一性分布関数に従って分布してもよいことに留意されたい。
【００９４】
　リガンドおよび／または
マトリックス材料は
開始剤を含んでもよい
・・・
【０１０２】
　いくつかの実施形態において、マトリックスは、ＱＤをコーティングするリガンド材料から形成される。リガンド上の分子と反応させるために、架橋剤が提供されてもよい。同様に、開始剤（例えば、
ラジカルまたはカチオン開始剤
（２）引用文献１に記載された発明
ア
　摘記（１ｂ）及び（１ｄ）から、「ＱＤフィルムリモート蛍光体パッケージ６０２」、「ＱＤフィルム」、「ＱＤフィルム６０２」及び「ＱＤフィルム層６０２」は、実質的に同じ構成のものを意味していることが、明らかである。
イ
　上記ア及び「
導光パネル（ＬＧＰ）
ウ
　「
ＱＤ蛍光体層６０４を含むＱＤフィルム層６０２
エ
　上記ア及びウに併せて、「
ＱＤフィルムは、
ＱＤ蛍光体材料の
層を含む
ＱＤフィルム６０２は、
ＱＤ蛍光体材料６０４を収容し、
オ
（ア）
　摘記（１ｅ）の段落【００９２】には、「ＱＤ蛍光体材料における使用に好適なマトリックス材料」について、「好適なマトリックス材料には、エポキシ、アクリレート」「を含む」と記載されていることから、ＱＤ蛍光体材料６０４は、使用されるマトリックス材料に、エポキシ、アクリレートを含んでもよいことが、明らかであり、ＱＤ蛍光体材料６０４は、使用されるマトリックス材料に、エポキシ、アクリレートを含むと認定できる。
（イ）
　また、上記（ア）を踏まえると、摘記（１ｅ）の段落【００９４】の「マトリックス材料」は、ＱＤ蛍光体材料に使用される材料であることが明らかであり、摘記（１ｅ）の段落【００９４】の「マトリックス材料は」「開始剤を含んでもよい」ことは、ＱＤ蛍光体材料は、開始剤すなわちラジカルまたはカチオン開始剤（（１ｅ）の段落【００８９】）を含んでいてもよいことが、明らかであり、ＱＤ蛍光体材料は、ラジカルまたはカチオン開始剤を含むと認定できる。
（ウ）
　さらに、上記（ア）及び（イ）を踏まえると、摘記（１ｅ）の段落【００９１】の「好ましいマトリックス材料は」、「紫外線」「で硬化可能である」ことは、ＱＤ蛍光体材料は、紫外線で硬化可能であると認定できる。
（エ）
　摘記（１ｅ）の段落【００９０】の「蛍光体材料」は、ＱＤ蛍光体材料であることが明らかであり、段落【００９０】の「蛍光体材料は、ＱＤが中に埋め込まれる」「マトリックス材料をさらに含む」ことは、ＱＤ蛍光体材料は、ＱＤが中に埋め込まれるマトリックス材料をさらに含むと認定できる。
（オ）
　したがって、引用文献１には、ＱＤ蛍光体材料６０４は、使用されるマトリックス材料に、エポキシ、アクリレートを含み、ＱＤが中に埋め込まれるマトリックス材料をさらに含み、ラジカルまたはカチオン開始剤を含み、紫外線で硬化可能であることが記載されていると認められる。
カ
　上記ア〜オ及び摘記（１ａ）〜（１ｅ）から、引用文献１には、次の発明（以下「引用発明」という。）が記載されていると認められる。
　［引用発明］
「一次光源６１０が、導光パネルに隣接し、一次光源６１０によって放出される一次光６１４が、導光パネルを通じて、ＱＤフィルムリモート蛍光体パッケージ６０２のＱＤ蛍光体材料６０４を通じて進み、ＱＤ蛍光体材料６０４内のＱＤを励起し、二次光の放出をもたらすように、配置され、ＱＤフィルムリモート蛍光体パッケージ６０２を備える、ディスプレイＢＬＵ６００であって、
ＱＤフィルムリモート蛍光体パッケージ６０２は、ＱＤ蛍光体層６０４を含み、
ＱＤ蛍光体層６０４は、ＱＤ蛍光体材料６０４から形成され、
ＱＤ蛍光体材料６０４は、使用されるマトリックス材料に、エポキシ、アクリレートを含み、ＱＤが中に埋め込まれるマトリックス材料をさらに含み、ラジカルまたはカチオン開始剤を含み、紫外線で硬化可能である、
ディスプレイＢＬＵ６００。」
２　引用文献２について
　原査定の拒絶の理由に引用された引用文献２には、次の事項が記載されている。
（２ａ）
「【請求項１】 
 下記（Ａ）、（Ｂ）及び（Ｃ）成分を含有する、ＬＥＤ封止材用エポキシ樹脂組成物。
（Ａ）成分；芳香族エポキシ樹脂を水素化して得られるエポキシ当量が２３０〜１０００ｇ／当量のエポキシ樹脂、及び／又は芳香族エポキシ樹脂を水素化して得られるエポキシ樹脂と多価カルボン酸化合物とを反応させて得られるエポキシ当量が２３０〜１０００ｇ／当量のエポキシ樹脂。
（Ｂ）成分；環状オレフィンをエポキシ化して得られる脂環式エポキシ樹脂
（Ｃ）成分：酸無水物硬化剤又はカチオン重合開始剤。」
（２ｂ）
「【０００６】
【発明が解決しようとする課題】本発明は、上記問題点を解決した、
冷熱サイクルによるクラックの発生が改良され、耐光性に優れた樹脂を与えることができるＬＥＤ封止材用エポキシ樹脂組成物、及びその組成物で封止されたＬＥＤ装置を提供しようとするものである。
（２ｃ）
「【００３８】これらの
光及び熱カチオン重合開始剤の中で、
ヨードニウム塩
が
好ましい。
（Ｂ）成分の脂環式エポキシ樹脂
（２ｄ）
「【００４８】実施例１
製造例１より得られたエポキシ樹脂５０ｇ、脂環式エポキシ樹脂として前記式（９）で示される
脂環式固形エポキシ樹脂（ダイセル化学社商品名「ＥＨＰＥ３１５０」）
融混合し
粉砕して成形材料を得た。
金型温度
成形
３　引用文献３について
　原査定の拒絶の理由に引用された引用文献３には、次の事項が記載されている。
（３ａ）
「【請求項１】
　
ポリビニルアルコール系樹脂からなる偏光フィルムの一方の面に接着剤を介してシクロオレフィン系樹脂からなる第一の保護フィルムが貼合され、前記偏光フィルムのもう一方の面にアセチルセルロース系樹脂からなる第二の保護フィルムが接着剤を介して貼合され
　前記第二の保護フィルムの偏光フィルムが貼合されている面と反対側に帯電防止機能を有する粘着剤層が設けられており、
　
前記接着剤は、
光硬化性組成物から形成され
【請求項２】
　
前記光硬化性組成物を構成するカチオン重合性化合物は、
脂環式エポキシ基を有するエポキシ化合物を含む
偏光板。
（３ｂ）
「【０００９】
　そこで
本発明の課題は、
熱による偏光フィルムの変色が抑制され、さらに耐湿熱性に優れる偏光板を提供することである。
（３ｃ）
「【００３４】
［
接着剤
　本発明の偏光板は、上記の偏光フィルムの一方の面に接着剤を介して第一の保護フィルムを貼合し、偏光フィルムのもう一方の面に上記の接着剤を介して第二の保護フィルムが貼合したものである。この
接着剤は、カチオン重合性化合物と光カチオン重合開始剤が所定の割合で配合された光硬化性組成物から形成される
【００３５】
　（
カチオン重合性化合物
　カチオン重合性化合物は、光硬化性組成物の主成分であり、重合硬化により接着力を与える成分となる。カチオン重合性化合物は、カチオン重合により硬化する化合物であればよく、特に分子内に少なくとも２個のエポキシ基を有するエポキシ化合物を含むことが好ましい。このエポキシ化合物として、例えば、分子内に芳香環を有する芳香族エポキシ化合物、分子内に少なくとも２個のエポキシ基を有し、そのうちの少なくとも１個が脂環式環に結合している脂環式エポキシ化合物、分子内に芳香環を有さず、エポキシ基とそれが結合する２個の炭素原子を含む環（通常はオキシラン環）の一方の炭素原子が別の脂肪族炭素原子に結合している脂肪族エポキシ化合物などが挙げられる。これらの中でも、
特にカチオン重合性化合物として脂環式エポキシ化合物を主成分とするものが好ましい。
・・・
【００５８】
　（
光カチオン重合開始剤
　以上のようなカチオン重合性化合物に、光カチオン重合開始剤を配合して光硬化性組成物とする。光硬化性組成物は、活性エネルギー線の照射によってカチオン重合が進行し、硬化して接着剤層を与える。光カチオン重合開始剤は、可視光線、紫外線、Ｘ線、又は電子線の如き活性エネルギー線の照射によって、カチオン種又はルイス酸を発生し、カチオン重合性化合物の重合反応を開始するものであればよい。光カチオン重合開始剤は、光で触媒的に作用するため、カチオン重合性化合物に混合してもその保存安定性や作業性に影響を与えない。
光カチオン重合開始剤として、
芳香族ヨードニウム塩
を挙げることができる。
４　引用文献４について
　原査定の拒絶の理由に引用された引用文献４には、次の事項が記載されている。
（４ａ）
「［請求項1］　
脂環式エポキシ化合物（Ａ）とアクリル樹脂（Ｂ）とを含む組成物であって、
　
アクリル樹脂（Ｂ）が、アクリル系単量体及びスチレン系単量体を必須の単量体成分として含有し、なおかつ側鎖にエポキシ基を有する重合体である
硬化性エポキシ樹脂組成物。
（４ｂ）
「［0008］　従って、
本発明の目的は、透明性
及び接着性に優れた硬化物を形成できる硬化性エポキシ樹脂組成物を提供することにある。 
　また、本発明の他の目的は、透明性、耐熱性、耐熱衝撃性、及び接着性に優れた硬化物を提供することにある。 
　さらに、本発明の他の目的は、光半導体装置の高温における通電特性、耐リフロー性（リフロー工程を経た場合にも封止材へのクラック発生や光半導体装置の光度低下などの不具合を生じにくい特性）、及び耐熱衝撃性を向上させることができる光半導体封止用樹脂組成物（光半導体素子の封止剤）を提供することにある。 
　さらに、本発明の他の目的は、透明性、耐熱性、耐熱衝撃性、及び接着性に優れ、特に光半導体装置におけるダイアタッチペースト剤として使用することにより、光半導体装置の光取り出し効率、耐熱衝撃性、及び耐熱性を向上させることができる接着剤用樹脂組成物（接着剤）を提供することにある。 
　さらに、本発明の他の目的は、光取り出し効率が高く、高温における通電特性、耐リフロー性、及び耐熱衝撃性に優れた光半導体装置を提供することにある。」
（４ｃ）
「［0024］＜硬化性エポキシ樹脂組成物＞
　本発明の
硬化性エポキシ樹脂組成物は、
脂環式エポキシ化合物（Ａ）
を含んでいてもよい。
［0025］［
脂環式エポキシ化合物（Ａ）
　本発明の硬化性エポキシ樹脂組成物における脂環式エポキシ化合物（Ａ）は、分子内（一分子中）に脂環（脂肪族炭化水素環）構造とエポキシ基とを少なくとも有する化合物である。脂環式エポキシ化合物（Ａ）としては、具体的には、（ｉ）脂環を構成する隣接する２つの炭素原子と酸素原子とで構成されるエポキシ基（脂環エポキシ基）を有する化合物、（ｉｉ）脂環にエポキシ基が直接単結合で結合している化合物、（ｉｉｉ）脂環とグリシジル基とを有する化合物などが挙げられる。但し、
脂環式エポキシ化合物（Ａ）には、アクリル樹脂（Ｂ）は含まれないものとする。
（４ｄ）
「［0042］［
アクリル樹脂（Ｂ）
　本発明の
硬化性エポキシ樹脂組成物におけるアクリル樹脂（Ｂ）は、アクリル系単量体及びスチレン系単量体を必須の単量体成分として含有し、
重合体（共重合体）である。
（４ｅ）
「［0108］　
実施例１
　まず、表２に示す配合割合（単位：重量部）で、
商品名「セロキサイド２０２１Ｐ」（脂環式エポキシ化合物、（株）ダイセル製）、及び製造例１で得られたアクリル樹脂（Ｂ１）を、
均一に混合し、
化合物と
樹脂の混合物を作製した。
　次に、表２に示す配合割合（単位：重量部）となるように、上記で得た
混合物と、
硬化剤組成物とを
混合し、
硬化性エポキシ樹脂組成物を得た。
　さらに、上記で得た硬化性エポキシ樹脂組成物を図１に示す光半導体のリードフレーム（ＩｎＧａＮ素子、３．５ｍｍ×２．８ｍｍ）に注型した後、１２０℃の
オーブン（樹脂硬化オーブン）で
加熱することで、
硬化性エポキシ樹脂組成物の硬化物により光半導体素子が封止された光半導体装置を得た。
第６　対比・判断
１　本願発明１について
（１）対比
ア
（ア）
　引用発明の「一次光源６１０」及び「一次光源６１０によって放出される一次光６１４」は、それぞれ、本願発明１の「光源」及び「該光源から出射される光」に相当する。
（イ）
　引用発明の「ＱＤ」は、量子ドットであるから（摘記（１ｃ）参照）、本願発明１の「量子ドット」に相当する。
（ウ）
　引用発明の「ディスプレイＢＬＵ６００」は、「一次光６１４が」、「ＱＤフィルムリモート蛍光体パッケージ６０２のＱＤ蛍光体材料６０４を通じて進み、ＱＤ蛍光体材料６０４内のＱＤを励起し、二次光の放出をもたらすように、配置され」ている。
　このことから、引用発明の「ＱＤフィルムリモート蛍光体パッケージ６０２」は、「一次光６１４」すなわち該光源から出射される光（上記（ア））の光路上に位置して、「一次光６１４」により、「ＱＤ」すなわち量子ドット（上記（イ））が励起されて、「二次光」を「放出」する部材であるといえるから、引用発明の「ＱＤフィルムリモート蛍光体パッケージ６０２」は、本願発明１の「該光源から出射される光の光路上に位置する波長変換部材」に相当する。
（エ）
　引用発明の「ディスプレイＢＬＵ６００」は、「ＢＬＵ」がバックライトユニットであるから（摘記（１ｂ）及び（１ｃ）参照）、本願発明１の「バックライトユニット」に相当する。
（オ）
　したがって、引用発明の「一次光源６１０が、導光パネルに隣接し、一次光源６１０によって放出される一次光６１４が、導光パネルを通じて、ＱＤフィルムリモート蛍光体パッケージ６０２のＱＤ蛍光体材料６０４を通じて進み、ＱＤ蛍光体材料６０４内のＱＤを励起し、二次光の放出をもたらすように、配置され、ＱＤフィルムリモート蛍光体パッケージ６０２を備える、ディスプレイＢＬＵ６００」は、本願発明１の「光源と、該光源から出射される光の光路上に位置する波長変換部材と、を含むバックライトユニット」に相当する。
イ
（ア）
　引用発明の「ＱＤ蛍光体材料６０４」は、「ＱＤが中に埋め込まれるマトリックス材料を」「含」むから、引用発明の「ＱＤ蛍光体材料６０４から形成され」る「ＱＤ蛍光体層６０４」も、「ＱＤが中に埋め込まれるマトリックス材料を」「含」むものである。
　このことと、上記ア（ウ）の「ＱＤ」すなわち量子ドットに関する事項を踏まえると、引用発明の「ＱＤ蛍光体材料６０４から形成され」る「ＱＤ蛍光体層６０４」は、「一次光」により「ＱＤ」すなわち量子ドットが励起されて「二次光」を「放出」する層であるといえる。
　そして、引用発明の「一次光」及び「二次光」は、それぞれ、本願発明１の「励起光」及び「蛍光」に相当する。
　したがって、引用発明の「ＱＤ蛍光体層６０４」は、本願発明１の「励起光により励起され蛍光を発光する量子ドットをマトリックス中に含む波長変換層」に相当する。
（イ）
　上記（ア）及びア（ウ）を踏まえると、引用発明の「ＱＤフィルムリモート蛍光体パッケージ６０２は、ＱＤ蛍光体層６０４を含」む構成は、本願発明１の「前記波長変換部材は、励起光により励起され蛍光を発光する量子ドットをマトリックス中に含む波長変換層を有」する構成に相当する。
ウ
（ア）
　引用発明の「ＱＤ蛍光体材料６０４」が、「紫外線で硬化可能である」ことは、「ＱＤ蛍光体材料６０４」に「紫外線」を照射して、「ＱＤ蛍光体材料６０４」の「マトリックス材料」を重合させることで、「ＱＤ蛍光体材料６０４」が「硬化可能である」ということを意味している。
　したがって、本願発明１の「ＱＤ蛍光体材料６０４」及び「マトリックス材料」は、それぞれ、本願発明１の「光硬化性組成物」及び「重合性化合物」に相当する。
（イ）
　引用発明の「ＱＤ蛍光体層６０４」は、「ＱＤ蛍光体材料６０４から形成され」るから、上記（ア）を踏まえると、「ＱＤ蛍光体材料６０４」すなわち光硬化性組成物を「紫外線」すなわち光の照射により「硬化」させてなる光硬化層である。
（ウ）
　したがって、上記（イ）及びイ（ア）を踏まえると、引用発明の「ＱＤ蛍光体層６０４は、ＱＤ蛍光体材料６０４から形成され」る構成は、本願発明１の「前記波長変換層は、光硬化性組成物を光照射により硬化させてなる光硬化層であ」る構成に相当する。
エ
（ア）
　引用発明の「ラジカルまたはカチオン開始剤」は、紫外線に反応して重合を開始させるのか、熱などに反応して重合を開始させるのか特定することはできないが（摘記（１ｅ）の段落【００９１】及び【０１０２】等）、引用発明の「ラジカルまたはカチオン開始剤」と本願発明１の「光重合開始剤」とは、「重合開始剤」の限りでは共通している。
（イ）
　したがって、上記（ア）、ア（イ）及びウ（ア）を踏まえると、引用発明の「ＱＤ蛍光体材料６０４は、使用されるマトリックス材料に、エポキシ、アクリレートを含み、ＱＤが中に埋め込まれるマトリックス材料をさらに含み、ラジカルまたはカチオン開始剤を含」む構成と、本願発明１の「前記光硬化性組成物は、前記量子ドット、脂環式エポキシ化合物を少なくとも含む重合性化合物、および光重合開始剤を含」む構成とは、「前記光硬化性組成物は、前記量子ドットを少なくとも含む重合性化合物、および重合開始剤を含」む構成の限りで共通している。
　以上から、本願発明１と引用発明との一致点及び相違点は、以下のとおりである。
＜一致点＞
「光源と、該光源から出射される光の光路上に位置する波長変換部材と、を含むバックライトユニットであって、
前記波長変換部材は、励起光により励起され蛍光を発光する量子ドットをマトリックス中に含む波長変換層を有し、
前記波長変換層は、光硬化性組成物を光照射により硬化させてなる光硬化層であり、
前記光硬化性組成物は、前記量子ドットを少なくとも含む重合性化合物、および重合開始剤を含む、
バックライトユニット。」
＜相違点＞
　本願発明１は、光硬化性組成物を光照射により硬化させてなる光硬化層である、波長変換層が、「前記光硬化性組成物は、前記量子ドット、脂環式エポキシ化合物を少なくとも含む重合性化合物、および光重合開始剤を含み、前記光重合開始剤は、ヨードニウム塩化合物であり、前記重合性化合物は、（メタ）アクリレート化合物を更に含み、前記波長変換層のマトリックスにおける前記光源から出射される光の損失率は、厚み６０μｍ換算で３％以下である」という構成を備えるのに対し、引用発明はそのような構成を備えておらず、「ＱＤ蛍光体材料６０４は、使用されるマトリックス材料に、エポキシ、アクリレートを含み、ＱＤが中に埋め込まれるマトリックス材料をさらに含み、ラジカルまたはカチオン開始剤を含」む構成を備える点。
（２）相違点についての判断
ア
　本願の明細書には、課題に関して、「一方、波長変換部材の生産性向上の観点からは、熱硬化と比べてマトリックスの硬化を短時間で行うことのできる光硬化が好ましい。そこで本発明者らが、波長変換部材を製造するにあたり、波長変換層のエポキシマトリックスを光硬化により形成することを試みたところ、量子ドットを含む波長変換部材の利点の１つは高輝度の白色光を得ることができる点であるにもかかわらず、製造される波長変換部材を組み込んだ液晶表示装置において、輝度が低下する現象が見られた。」（段落【０００６】）、「そこで本発明の目的は、光硬化により形成されたエポキシマトリックス中に量子ドットを含む波長変換層を有する波長変換部材を備えた液晶表示装置において、輝度向上を達成することにある。」（段落【０００７】）と記載されている。
　これらの記載のとおり、本願は、「量子ドットを含む波長変換層を有する波長変換部材」の採用を前提として、「生産性向上」に寄与しつつ「輝度向上」を達成することを課題としており（段落【０１８４】も参照）、本願発明１は、その課題を解決するために、上記相違点に係る本願発明１の構成を備えるものであると理解できる。
　補足すると、上記の構成のとおり、「脂環式エポキシ化合物」、「ヨードニウム塩化合物」及び「（メタ）アクリレート化合物」という特定の材料を重合性化合物ないし光重合開始剤として選定して、光重合を行うことで（それらの材料を採用することによる作用効果は、段落【００５９】、【００６６】、【００６７】及び【００７３】等参照）、量子ドットを含む「前記波長変換層のマトリックスにおける前記光源から出射される光の損失率は、厚み６０μｍ換算で３％以下である」という物性値を実現することができ、上記の課題が解決できるものと理解できる。
イ
　そして、上記相違点に係る本願発明１の構成（特に、「重合性化合物は、（メタ）アクリレート化合物を」「含み」、「前記波長変換層のマトリックスにおける前記光源から出射される光の損失率は、厚み６０μｍ換算で３％以下である」という構成）は、引用文献１〜４のいずれにも、記載も示唆もされていない。
　また、他に、この構成が本願優先日前において周知であったといえる根拠も無い。
　さらに、上記アの課題も、引用文献１〜４のいずれにも、記載も示唆もされていない（摘記（１ａ）、（２ｂ）、（３ｂ）及び（４ｂ）等参照。）。
ウ
　上記イのとおりであるから、引用発明の「エポキシ、アクリレートを含」む「ＱＤ蛍光体材料６０４」に、「脂環式エポキシ化合物」や「ヨードニウム塩化合物」を採用することについて検討するまでもなく、当業者であっても、上記相違点に係る本願発明１の構成を想到することは、容易になし得たとはいえない。
　したがって、本願発明１は、引用発明及び引用文献２〜４に記載された技術事項に基いて当業者が容易に発明できたものであるとはいえない。
２　本願発明６及び８について
　本願発明６の「波長変換部材」の「波長変換層」は、本願発明１が有する「前記波長変換層のマトリックスにおける前記光源から出射される光の損失率」を、「前記波長変換層のマトリックスにおける青色光損失率」としたものであり、本願発明１が有する「波長変換層」と実質的に同様の構成を備えるものであるから、実質的に上記相違点に係る本願発明１の構成を備えている。
　また、本願発明８の「光硬化性組成物」は、重合することにより、本願発明６の「波長変換部材」となる組成物であって、実質的に上記相違点に係る本願発明１の構成を備えている。
　したがって、本願発明１と同様の理由により、本願発明６及び８は、引用発明及び引用文献２〜４に記載された技術事項に基いて当業者が容易に発明できたものとはいえない。
３　本願発明２〜５、７及び９〜１１について
　本願発明２〜５は、本願発明１の発明特定事項を全て備えるものであり、本願発明７は、本願発明６の発明特定事項を全て備えるものであり、本願発明９〜１１は、本願発明８の発明特定事項を全て備えるものである。
　そして、本願発明１については、上記１のとおりであり、本願発明６及び８については、上記２のとおりである。
　したがって、本願発明２〜５、７及び９〜１１も、引用発明及び引用文献２〜４に記載された技術事項に基いて当業者が容易に発明できたものとはいえない。
第７　原査定について
　審判請求時の補正により、本願発明１〜１１は、上記相違点に係る本願発明１の構成を有するものとなっており、引用発明及び引用文献２〜４に記載された技術事項に基いて当業者が容易に発明できたものとはいえない。
　したがって、原査定の理由を維持することはできない。
第８　むすび
　以上のとおり、原査定の理由によっては、本願を拒絶すべきものとすることはできない。
　また、他に本願を拒絶すべき理由を発見しない。
　よって、結論のとおり審決する。